(57)【特許請求の範囲】
【請求項１】
箱本体と箱キャップが含まれる電子ロック装置を有する箱であって、その中、前記箱キャップに差込み穴が設置され、その特徴としては、更に前記の箱本体に設置する電子ロック装置が含まれ、
その中には、ケースが含まれ、更に、錠舌、錠舌出し入れ動作ユニット、メイン制御ユニット、コネクターが含まれ、
前記錠舌出し入れ動作ユニットは、前記のケース内に設けられ、前記の錠舌と固定され、前記の錠舌をケースより出し入れし、
前記メイン制御ユニットは、前記の錠舌出し入れ動作ユニットと連結され、外部制御指令を制御し、前記の錠舌出し入れ動作ユニットの動作を自動的に制御し、
前記コネクターは、前記の差込み穴に挿入され、前記のコネクターの上部が前記の差込み穴に固定され、前記のコネクターの中間部には前記の錠舌と対応する穴があることを特徴とする。
【発明の詳細な説明】
【技術分野】
【０００１】
本発明は電子ロック技術に関わるものであって、特に外部から非法的にロック解除が出来ない様に、内部よりコネクターを締め付ける装置に関わるものである。箱或いはボックスに当該電子ロック装置を設置することによって、箱或いはボックスが非法的に開けられるのを防止するのに応用できる。
【背景技術】
【０００２】
通常二つの独立構造の間は、常にコネクターにより連結され、良く分割できない一体になる。例えばネジ或いはロックにより連結できるが、これらの連結には欠陥が存在している。箱の場合、通常は箱キャップと箱本体が含まれる。前記の箱キャップと箱本体は、ネジにより箱体になったり、隠し錠により一体化構造になる。然しながら、コネクターの結合部は外部から取り外せるため、第三者により前記のネジを緩めたり、無理にロックを開けることにより、二つの独立構造が分離するので、箱或いはボックス内に設置される施設が破壊されるのである。
【０００３】
この様な問題は、既存の電力システムの中で特に著しい。複数のメータが内蔵された電気メータ箱或いは単一型電気メータボックスにおいて、電気メータは、電気使用管理部門がユーザの電気使用状況を管理するベースであって、電気代を徴収する根拠でもある。そこで、非法的に箱体をばらすユーザもいるが、各種の変更やケース内の電気使用管理設備を破壊して、正常的な電気利用秩序に影響を与えており、電力部門に莫大な損失を与えている。この様な問題を解決するため、箱体上のネジに亜鉛シールする措置を取る様な設備開発者もいるが、亜鉛シールも依然と不法的ユーザにより破壊されるほか、電気利用管理部門にとっては、彼らが箱体を開けるのに非常に不便である。
【０００４】
上記に基づいて、本特許出願者は一種の新しい盗難防止案を提出している。即ち、中国特許出願番号200710101440.6で、シール接触検知装置、電源回路、制御回路と実行回路が含まれる電子シールであって、その中、前記電源回路は、制御回路、実行回路及びシール接触検知装置の検知機器に作動電圧を供給するのである。シール接触検知装置内の制御部品が、前記検知機器に対して位置が変わる場合、具体的に言うと、前記箱キャップと箱本体の間に位置する制御部品が緩められたり破壊されると、制御回路は検知機器から来る電気信号によって、実行回路と警報回路に同時に制御信号を発送するのである。実行回路の実行素子は電源或いは水回路、ガス回路を遮断し、警報回路は警報信号を発送するのである。それで、許可を受けてない人がシールを触る際、直ちに警報或いは作動し、電気回路をロックするので、不法行為を止めて損失を避けるのである。当該特許出願技術により、電力損失は防止できるが、決して良い解決案とは言えない。即ち、前記制御部品は、緩められたり破壊された時のみ機能を果たすのである。同時に電気利用管理部門にとっては電気供給を回復しなければならないので、取扱が非常に不便である。そこで、技術開発上、ユーザが箱を開けるのは難しいが、電気管理部門が箱を開けるのは非常に簡単である等、不法的なユーザによりケースを開けるのを防止する新しい課題を提出している。
【０００５】
既存技術に存在する欠陥と現実的に切実なニーズによって、本発明の創作者は長い時間の研究と実践をかけて、本創作を成功させている。
【発明の概要】
【発明が解決しようとする課題】
【０００６】
本発明の目的は、一種の電子ロック装置及び電子ロック装置を有する箱を提供することによって、上記の欠陥を解決するのである。
【課題を解決するための手段】
【０００７】
上記の目的を実現するため、本発明で採用した技術案は、まずケースが含まれる一種の電子ロック装置を提供するのである。その中には、更に錠舌、錠舌出し入れ動作ユニット、メイン制御ユニットとコネクターが含まれる。
【０００８】
前記錠舌出し入れ動作ユニットは、前記のケースの中に位置し、前記錠舌と固定され、前記錠舌をケースから押出し或いはケースに引っ込めるのに用いる。
【０００９】
前記メイン制御ユニットは、前記の錠舌出し入れ動作ユニットと繋がれ、外部からの制御指令を受けて、前記の錠舌出し入れ動作ユニットの動作を自動的に制御するのに用いる。
【００１０】
前記コネクターは、その中間部に前記の錠舌と対応する穴を有している。
【００１１】
次に、電子ロック装置を有し、箱本体と箱キャップが含まれる箱体を提供するのである。その中、前記の箱キャップには、差込み穴が設けられ、更に前記の箱本体に設けられる電子ロック装置が含まれることを特徴とする。その中にはケース、錠舌、錠舌出し入れ動作ユニット、メイン制御ユニット、コネクターが含まれる。
【００１２】
前記錠舌出し入れ動作ユニットは、前記のケース内に設けられ、前記の錠舌と連結され、前記の錠舌をケースから押出し或いはケース内に引っ込めるのに用いる。
【００１３】
前記メイン制御ユニットは、前記の錠舌出し入れ動作ユニットと繋がれ、外部からの制御指令を受けて、前記の錠舌出し入れ動作ユニットの動作を自動的に制御するのに用いる。
【００１４】
前記コネクターは、前記の差込み穴に挿入されて、その上部が前記の差込み穴に固定され、中間部に前記の錠舌と対応する穴を有する。
【００１５】
前記の電子ロック装置を箱体から取り外されるのを防止する為、前記のケースはネジによって、前記の内部から前記の箱本体と結合されるのである。
【００１６】
最後に、電子ロック制御システムを提供するのである。それは、上記の電子ロック装置と電子ロック装置を有する箱体を制御するのに用いる。その中には、電源、ラッチ出し入れ制御ユニット、メイン制御ユニット、外部制御ユニットが含まれる。
【００１７】
前記電源は、電力を供給するのに用いる。
【００１８】
前記錠舌出し入れ制御ユニットは、制御指令を受信・送信して、錠舌の動作を駆動する触発信号を出力する。
【００１９】
前記メイン制御ユニットは、外部制御指令を受信して、処理された後、前記の受信・送信された制御指令を前記の錠舌出し入れ制御ユニットに伝送するのに用いる。
【００２０】
前記外部制御ユニットは、前記の外部制御指令を出力するのに用いる。
【発明の効果】
【００２１】
既存技術に比べると本発明の効果は、コネクターによる二つの独立構造の結合部位をシールすることにより、外部からの工具がコネクターの結合部位に直接に当たるのを防止するのである。それを電気メータボックス或いは電気メータ箱に応用することによって、箱体或いはボックスを分解して電気を盗難する問題を効率的に防止し、安全性が高く、電気利用管理部門が効率的な管理出来る様にしている。当然ながら、その他の連結構造の盗難防止問題の解決にも適用するのである。
【００２２】
予備制御システムを追加することにより、単一電子ロック制御システムにトラブルが起きた場合に正常的に制御操作ができない問題を効率的に防止している。
【００２３】
保護回路を追加することにより、外部から電源を反対に接続或いは高圧により破壊されることを効率的に防止して、制御システムの使用安全性を高めている。
【図面の簡単な説明】
【００２４】
【図１】本発明の電子ロック装置の実施例一における立体略図である。
【図２】本発明の電子ロック装置の実施例二における立体略図である。
【図３】本発明の電子ロック装置のメイン制御ユニットの実施例における電気回路の示し図である。
【図４】本発明の電子ロック装置の電源供給における電気回路の示し図である。
【図５】本発明の電子ロック装置において、錠舌出し入れ動作ユニットの第一種実施例における制御部分の電気回路示し図である。
【図６】本発明の電子ロック装置において、錠舌出し入れ動作ユニットの第二種実施例における制御部分の電気回路示し図である。
【図７】本発明において、電子ロック装置を有する箱体の実施例一の解体図である。
【図８】本発明において、電子ロック装置を有する箱体の実施例二の解体図である。
【図９】本発明において、電子ロック装置を有する箱体（メータケース）の実施例三の解体図である。
【図１０】本発明において、電子ロック装置を有する箱体（メータケース）の実施例三の側面断面図である。
【図１１】本発明において、電子ロック装置を有する箱体（メータケース）の実施例三の解体図である。
【図１２】本発明において、電子ロック装置を有する箱体（メータケース）の実施例四の側面断面図である。
【図１３】本発明において、電子ロック装置の外部制御設備の電気回路示し図である。
【図１４】本発明において、電子ロック装置の制御システムに対応する電子ロック動作機構の実施例の示し図である。
【図１５】本発明において、電子ロック制御システムの実施例一の機能枠図である。
【図１６】本発明において、電子ロック制御システムの実施例二の機能枠図である。
【図１７】本発明において、電子ロック制御システムにおける予備錠舌出し入れ制御ユニットと錠舌出し入れ制御ユニットを結合した電気回路の示し図である。
【図１８】本発明において、電子ロック制御システムにおける予備メイン制御ユニットの電気回路の示し図である。
【図１９】本発明において、電子ロック制御システムにおける予備外部制御ユニットの電気回路の示し図である。
【図２０】本発明において、電子ロック制御システムにおける保護電気回路の示し図である。
【図２１】本発明において、電子ロック制御システムにおける外部制御ユニットの第一入力接続口の電気回路の示し図である。
【発明を実施するための形態】
【００２５】
以下添付図に合わせて、本発明の上記とその他技術の特徴及び長所について具体的に説明する。
【００２６】
図１は、本発明における電子ロック装置の実施例一の立体略図である。前記の電子ロック装置にはケース、錠舌出し入れ動作ユニット、メイン制御ユニット、コネクターが含まれる。
【００２７】
前記ケースは、上ケース11と下ケース16からなり、前記のケース内には錠舌12が設けられ、前記錠舌12は前記ケースの外部へ伸びることができる。
【００２８】
前記錠舌出し入れ動作ユニット13は、前記のケース内に位置され、前記の錠舌12と連結され、前記の錠舌12をケースから押出したり、ケースに引っ込めるのに用いる。前記錠舌出し入れ動作ユニット13には、動力出力機構が含まれ、その出力側が前記の錠舌と繋がる。前記動力出力機構にはモータ135とその出力軸と繋がる多段減速ユニット134（多段歯車減速構造可）が含まれ、前記の多段減速ユニットは連結軸137と前記の錠舌12と連結され、モータ134の出力によって回転し、多段歯車減速構造134によって減速し、トルクを増加する。連結軸137の作動方式は自動車発動機のピストンと回転軸の連結方式に似している。即ち、出力段歯車の回転を、前記錠舌12の直線に沿ったストローク作動に変換させるのであるが、ここではくどく説明しない。
【００２９】
前記メイン制御ユニットは、制御指令を受けるのに用いる。前記のメイン制御ユニットは、ケース内のメインプレートに設置しても良いし、ケースの外部（図示無し）に設置しても良い。通常前記制御指令は本装置の外部設備から来る。無線制御方式或いは電波による個体識別技術（RFID技術）によって、前記の錠舌12の動作を操作することができるので、ケースに対する人為的な機械作用を、ある程度減少している。前記のメイン制御システムによって、前記錠舌出し入れ動作ユニット13の動作を自動的に制御することができる。
【００３０】
コネクター３の中間部には、前記錠舌と対応する穴31を有する。即ち、前記の錠舌12が前記のケースから出る際、前記の穴31に挿入されるのである。
【００３１】
実施例一において、前記錠舌出し入れ動作ユニット13について、前記の連結軸137を採用しなく、歯車とラック構造に変えても良い。即ち、出力段歯車と、ラック構造を有する錠舌12を直接に結合させ、モータ134の方向変換によって、錠舌12の出し入れを制御するのである。その機械構造について、ここでくどく説明しない。
【００３２】
図2は、本発明における電子ロック装置の実施例二の立体略図である。本実施例二における電子ロック装置と上記実施例一の区別は、前記の上ケース11に穴111を有し、前記錠舌12が前記ケースの内部で作動し、前記コネクター3が前記の上ケース11の穴111の中に入り、前記の錠舌出し入れ動作ユニット13が前記ケース内に位置して、前記の錠舌12と固定され、前記の錠舌12を押出したり引っ込めるのに用いる。そこで、前記の錠舌12が前記のコネクターの穴111に入る様にする。
【００３３】
図10と図12を合わせて見ると、前記の錠舌出し入れ動作ユニット13には、動力出力構造が含まれ、その出力側と前記の錠舌が連結されている。前記の動力出力構造は、実施例一の方式を採用しても良いし、電磁式を採用しても良い。その中には、回転子132、電磁コイル131及び受け物が含まれる電磁動作ユニットが含まれる。前記回転子132の片側は前記錠舌12と固定され、前記の受け物内で結合される。前記の回転子132はリセットバネに入れている。
【００３４】
上記実施一の内容と比べると、更に自己検知ユニットが設置されている。前記自己検知ユニットは、前記のコネクター3が前記の上ケースの穴111内に挿入されているかどうかを確定するためであり、前記の錠舌12を触発して動作する様にする。前記の自己検知ユニットの案には、U形溝17を設けても良い。前記のU形溝17は、投光側と受光側を有し、両方の間は光通路を形成して、光通路がON・OFF変換をする際、制御信号を生じる。即ち、前記コネクター3を前記の上ケースの穴111に挿入し、前記のU形溝17に入れて、光通路を遮るのである。この場合メイン制御ユニットが制御信号を受信して、前記の電磁動作ユニットが動作し、前記の錠舌12が出されて、前記のコネクターの穴111に挿入される。
【００３５】
前記の自己検知ユニット案二には、更に前記のコネクターの上側と対応する圧力センサーが含まれても良い。即ち、前記のコネクターが前記の上ケースの穴111に挿入されると、その上側の前記圧力センサーを押し当てて、前記のメイン制御ユニットが制御信号を得ることになり、前記の電磁動作ユニットが動作し、前記の錠舌12が出され、前記のコネクターの穴111に挿入されることになる。
【００３６】
図3は、本発明において電子ロック装置のメイン制御ユニットの実施例の回路示し図である。前記のメイン制御ユニットには動作指令受信サブユニットとデータ伝送インターフェースが含まれる。
【００３７】
前記動作指令受信サブユニットは、制御指令を受信するのに用いる。この指令は、外部設備から無線方式で提供されるのであって、単なる機械接触によって制御することによる安全問題を解決している。ここに三種類の実施方式がある。即ち赤外線受信器1IC1と解読回路1IC3を結合する方式を採用しても良いし、無線電受信器1IC2方式を採用しても良い。その中には抵抗1R8と1R1が含まれ振動させるのに用いる。無線電受信器1IC2のみ採用する場合、出力される信号は解読後のデジタル信号である。安全係数を高める為、同時に赤外線受信器1IC1と無線電受信器1IC2を採用して、同時に外部制御指令を受信して、取得された外部制御指令を同時に対応する動作指令処理サブユニットに伝送しても良い。前記の赤外線受信器1IC1、無線電受信器1IC2と前記の動作指令処理サブユニットの間には、上引き抵抗1R4-1R13が設置されている。
【００３８】
前記の動作指令処理サブユニットは、微処理器チップMCUで良い。前記の制御指令を処理するためで、微処理器チップMCUのpx.1とpx.2ポートより錠舌押出し指令信号或いは錠舌引っ込み指令信号或いはホールド指令信号を前記の錠舌出し入れ動作ユニット13の制御部分に出力する。
【００３９】
更にクロックチップ1IC5と前記の微処理器チップMCUが連結されている。前記のクロックチップ1IC5は、微処理器チップMCUの処理動作毎のために外部クロック信号を提供するためで、前記のクロック信号は暗号化と暗号を解読する要素となる。前記の赤外線受信器1IC1と無線電受信器1IC2が取得した二種類の解読後デジタル信号は、前記の微処理器チップMCUに受信された後、導入されたクロック信号とランダム数値として演算され、合法的な命令かどうかを検証するのである。同時に本発明において、更にウォッチドッグチップ1IC6を設置されている。
【００４０】
データを記憶させるため、更にメモリチップ1IC4と前記の微処理器チップMCUを連結している。前記のデータは前記錠舌出し入れ動作ユニット動作の時間と回数でも良い。
【００４１】
データ伝送インターフェースは、前記の微処理器チップMCUと連結され、前記の微処理器チップMCUの中で処理された各種の情報を外部受信設備へ伝送するのに用いる。ここで採用している回路構造としは、前記微処理器チップMCUの出力側をトリオド1Q1のベースと連結し、前記トリオド1Q1のコレクターを発光タイオードLEDと繋げ、データを赤外線信号の方式で発光させるのである。当然ながらその他の方式を選択しても良い。
【００４２】
同時に、動作指令受信サブユニットは、非接触カード（RFIDカード）のカード読み取り回路であっても良い。即ちカード持参者が持参しているRFIDカードのアンテナ発射信号と、前記のRFIDカードのカード読み取り回路のリーダーにより、読み取り、識別するのであって、情報が検証されマッチングすると、前記の微処理器チップMCUからON指令を発送することにする。
【００４３】
電子装置であると必ず電気を利用することになる。異なる使用環境によって、この電力源はバッテリーでも良いし、バッテリーの様な独立素子でも良いし、都市電気でも良い。
【００４４】
図4は、本発明における電子ロック装置の電源供給回路の示し図である。都市電気を処理するためで、トランスTが含まれ、都市電気の電圧を下げる。その後、ダイオード3D1、3D2によって整流してから、二つの通路に分岐される。その中、一つの通路が取得した電圧は、安定集積回路3IC1を経由して、コンデンサー3C1-3C4によって電波をふるい分けられてから出力する。もう一つの通路は、安定電流チップ3IC2と抵抗3R2、3R1からなる安定電流回路を経由して、コンデンサー3C5-3C6によって電波をふるい分けられ、充電電池BTを充電することになる。停電された時、前記の充電電池BTが外部に電気を供給するのである。電流が反対に流れるのを防止するため、ダイオード3D3、3D4がそれぞれ二通路に設置されている。
【００４５】
図5と図6は、それぞれ本発明の電子ロック装置における錠舌出し入れ動作ユニットの二種類の実施例における制御部分の回路示し図である。その中、実行部分である電磁鉄は、自己保護機能を有する電磁鉄を採用しているため、自己ロック構造は要らなくなる。前記のPX.1とPX.2は、微処理器MCUの出力側であり、その動作過程は、PX.1がローレベルで、PX.2がハイレベルである際、トリオド5Q2、5Q3、5Q6が導通され、トリオド5Q4、5Q1、5Q5が止められる。即ち、電磁コイル或いはモータにとって、それを流れる電流は第一方向があるため、前記錠舌の第一作動方向を形成するのである。前記のPX.1がハイレベルで、PX.2がハイレベルである際、トリオド5Q2、5Q3、5Q6、5Q4、5Q1、5Q5が止められる。この時、電磁コイル或いはモータにとって、電流は流れなく、前記錠舌が作動を止めることになる。PX.1がハイレベルで、PX.2がローレベルである際、トリオド5Q2、5Q3、5Q6は止められるが、トリオド5Q4、5Q1、5Q5が導通されるので、電磁コイル或いはモータにとって流れる電流は第一方向と反対になるのである。そこで、前記錠舌の反対方向作動をすることになる。前記のPX.1、PX.2がレベルである際、電磁コイル或いはモータにとって、電流が流れ、前記錠舌が作動を止めることになる。
【００４６】
以上は、本発明の電子ロック装置の構造における機械部分から回路部分までの説明である。次に、本発明における電子ロック装置を有する箱体、即ち前記の電子ロック装置の応用について説明する。それは、倉庫、電力盗難防止分野に応用できるが、ここでは電気メータ箱と電気メータボックスの応用について説明する。全体から見ると、何れも本発明の電子ロック装置のコネクターの結合部位が、箱或いはボックスの内部にあることに基づいている。即ち、前記コネクターに接触できない連結穴によって、非正常的に開けられるリスクを下げている。
【００４７】
図7は、本発明において電子ロック装置を有する箱体の実施例一の解体図である。前記の電子ロック装置を有する箱体には、箱本体22と箱キャップ21が含まれる。その中、前記の箱キャップ21には差込み穴211を有し、重要なのは更に電子ロック装置が含まれるのである。それは前記の箱本体22に設置される。前記の電子ロック装置は図1の実施例に対応するもので、その中には、ケースが含まれる。前記のケースは上ケース11、下ケース16からなる。前記のケースはネジ6によって、箱体の内部と前記の箱本体22が結合されるのである。更にカバー5が含まれ、前記の箱本体22と前記の箱キャップ21が結合された後、前記のカバー21を被せることになる。その上面にはカバー穴51があり、前記のカバー穴51と前記の箱キャップ21の差込み穴211が対応することになる。前記のコネクター3は、前記のカバー穴51から、箱キャップ21の差込み穴211を経由して、前記の箱体の中に挿入される。この場合、RFIDカード或いは無線制御方式によって、前記の錠舌12がケースから出る様にし、前記のコネクターの穴31に嵌め込まれることになる。前記のコネクター3の上部は前記のカバー穴51（カバー5を設置しない場合は、前記のカバー21の差込み穴211に固定する）に挟まれ、その下部が前記の錠舌12に止められ、前記のコネクター3が穴から出されない様にする。そこで、カバー21と箱本体22が結合されるのである。この様な結合は、箱体の外部から前記コネクターの穴31の所に届かないので箱体が開けられないのである。
【００４８】
図8は、本発明において電子ロック装置を有する箱体の実施例二の解体図である。前記の実施例二と上記実施例一の区別は、上記図2の電子ロック装置実施例に対応するのであって、前記の錠舌12がケースの内部に位置され、前記の上ケース11に穴111をあけており、前記のコネクター3が前記のカバー5のカバー穴51から、カバー21の差込み穴211を経由して、前記の箱体内のケース穴111に挿入される。この場合、RFIDカード或いは無線制御方式によって、前記の錠舌12が動き、前記のコネクターの穴31に入るのである。前記のコネクター3の上部は、前記のカバー穴51（カバー5を設置しない場合は、前記の箱キャップ21の差込み穴211に固定する）に挿入され、前記のコネクター3がケース内に入り、その下部が前記の錠舌12により止められ、前記のコネクター3が穴から出されない様にして、箱キャップ21と箱本体22が結合される。この様な結合は、箱体の外部から前記コネクターの穴31の所に届かないので箱体を開けることができない。
【００４９】
図9と図10は、それぞれ本発明における電子ロック装置を有する箱体（電気メータ箱）の実施例三の解体図及び側面断面図である。上記の実施例一と実施例二は電気メータ箱に応用されるが、本実施例は、メータボックスに応用されるのである。前記の電子ロック装置を有する電気メータボックスには、ボックス本体22とボックスキャップ21が含まれる。その中、前記のボックスキャップ21には差込み穴（図示無し）が設けられ、重要なのは、更に電子ロック装置が含まれ、前記のボックス本体22の中に設置されるのである。前記の電子ロック装置は図2の実施例に対応するもので、その中にはケースが含まれる。前記のケースは上ケース11、下ケース16からなる。前記のケースはネジによってケースの内部から前記の下ケース22と結合される。更にボックスカバー5が含まれる。前記の電気メータボックス内には回路制御基板4が設けられ、前記の電子ロック装置のメイン制御ユニットと兼用することができる。下ケース16には上ケース11と対応する穴が設けられ、前記のコネクター3がケースカバー21の差込み穴から、前記のケース体内の上ケース11の穴111挿入され、前記の自己検知ユニットのU形溝17に入る。そこで、光通路を遮ることになる。この場合、メイン制御ユニットが制御信号を得て、前記の錠舌12に出され、前記のコネクター3の穴に挿入される。この場合、前記の下ケースの底部にあるリセットバネ32が圧縮され、前記のコネクター3の上部が前記のバックスキャップ21の差込み穴に嵌められ、その下部がケース内に入り、前記の錠舌12により止められ、前記のコネクター3が穴から出されなくなり、ボックスキャップ21とボックス本体22が結合することになる。この様な結合は、ケースの外部から前記のコネクターの穴31に届かないため、ボックスを開けることができないのである。
【００５０】
RFIDカード或いは無線制御方式により前記のケースを開ける命令を受けた場合、前記の錠舌12が前記のコネクターの穴31から退去し、リセットバネ32の弾性により、前記のコネクター3が出されることになる。
【００５１】
図11と図12は、それぞれ本発明において電子ロック装置を有する箱体（電気メータボックス）の実施例四における解体図と側面断面図である。前記実施例三との区別は、前記の電子ロック装置が前記のボックス本体22の取付け位置にあるのである。更にカバー5が含まれる。前記のカバー5にはカバー穴51が設けられ、前記のボックスキャップ21の切り欠けと対応するのである。そのカバーは、前記のボックスキャップ21の切り欠け部の上部に設けられ、前記のコネクター3がカバー5のカバー穴51に入り、前記のボックスキャップ21の切り欠け部から、前記のボックス内の上ケース11の穴111に挿入され、前記の自己検知ユニットのU形溝17の中に入り、光通路を遮断することになる。この場合、メイン制御ユニットは制御信号を得て、前記の錠舌12が出され、前記のコネクターの穴31の中に挿入される様になる。この場合、前記の下ケース16の底部に位置するリセットバネ32が圧縮され、前記のコネクター3の上部が前記のカバーのカバー穴51に固定され、その下部がケース内に入り、前記の錠舌12により止められ、前記のコネクター3が穴から出されなくなる。それによって、ボックスキャップ21とボックス本体22が結合される。この様な結合は、ケースの外部から前記コネクターの穴31に届かないため、ボックスを開けることが出来なくなる。
【００５２】
上記の実施例は、前記の電子ロック装置を箱或いはボックスに設置した応用例である。前記のメイン制御ユニットは、錠舌12の出し入れを実現する基本である。それはRFID技術或いは無線方式により命令を受けるのであって、外部設備が必要となり、固定設備でも良い。当然ながら、携帯できる携帯型或いはRFIDカードでも良い。
【００５３】
図13は、本発明のおける電子ロック装置の外部制御設備の回路示し図である。RFID技術において、前記の外部制御設備がRFIDカードとなる。ここではRFID技術についてはくどく説明しなく、携帯型を例として説明する。制御命令発送ユニットを有して前記の電子ロック装置に制御指令を発送する。即ち、前記の動作指令受信サブユニットと対応するのである。そこで、それに対応する実施方式も三種類がある。ここでは赤外線反射器2D1とそれに応じるエンコーダーチップ2IC2を結合する方式を採用している。更に無線発送器2IC3及びそれに応じる素子、アンテナより構成される無線発送回路が含まれても良い。当然ながら、当該回路は単独に使用しても良い。前記の赤外線発射器2IC2と無線発送器2IC3と微処理器MCUの間には、上引き抵抗2R6-2R13が設けられ、更に、クロックチップ2IC5と連結される。前記のクロックチップ2IC5は微処理器チップMCUの各処理動作のため外部クロックを提供するのである。前記のクロック信号は暗号化或いは解読要素として、導入されたクロック信号をランダム数として演算され、前記の微処理器チップMCUにより処理されるので、発送された制御命令信号の安全性が更に高くる。同時にウォッチドッグチップ2IC6が設置されている。
【００５４】
データ伝送インターフェースは、前記の微処理器チップMCUと連結されており、USBインターフェースでも良い。前記のデータを対応する受信設備に伝送するのに用いる。
【００５５】
更に、赤外線受信器2IC7が含まれ、前記の電子ロック装置のデータ伝送インターフェースから発送される前記データが含まれる信号を受信するのに用いる。
【００５６】
データを記憶させる為、メモリチップと前記の微処理器チップMCUを連結されており、前記止め板の出し入れ動作ユニットが動作する時間と回数を記憶させるのである。
【００５７】
図14は、本発明において電子ロック制御システムに対応する電子ロック動作構造の実施例の示し図である。前記の電子ロック装置にはケースが含まれが、普通上ケース11と下ケース16により構成される。更に、錠舌12が含まれており、予定位置に所で止めるのに用いる。錠舌出し入れ動作ユニット13は、前記の錠舌12と固定され、前記ケースの内部に設置され、前記の錠舌12を押出したり引っ込めるのに用いる。その中、前記の錠舌12は出された後、前記の確定位置の上部に位置することになる。ここでは錠舌出し入れ動作ユニット13を採用しており、錠舌動作素子が含まれる。それは電磁鉄或いはモータで良い。電磁鉄を例とすると、それには回転子131、電磁コイル132及び受け物133が含まれる。その中、前記の回転子131の片側と前記の錠舌12は固定されており、前記の受け物133内に結合される。前記の電磁コイル132の両端と前記の錠舌出し入れ制御ユニットは相互連結され、電磁鉄の動作を制御するのに用いる。
【００５８】
前記の下ケース16には、更に延長部161が含まれ、また前記の延長部161には止め穴162が含まれる。前記の延長部161に一箇所設置しても良いし、上ケース11と下ケース16にそれぞれ設置しても良い。前記の止め板12は前記の延長部の間に位置される。コネクターが上ケース11の貫通穴111によって前記の止め穴162に入って対応構造部品と結合された後、前記の錠舌12が出されて、前記のコネクターを止めることになり、更に外部から工具にて前記のコネクターまで及ぶことが出来ないように保護するのである。
【００５９】
前記の電子ロック装置の錠舌12に対する出し入れ動作は、自己ロック機能を有し、外部から工具にて前記の錠舌12を引っ張ったり或いは引き戻したりするのを防止するのである。これについては、電磁鉄の中で自己キープ機能を有する電磁鉄を選んでも良いし、自己ロック機構15を設けても良い。前記の錠舌12には二つのクボミ穴（図示の表面の下側）が設けられ、それぞれ前記の錠舌12の出る位置と引っ込みのリミット位置に対応するのである。前記の自己ロック機構には、第一電磁動作ユニットが含まれ、その中、前記の第一電磁動作ユニットには第一電磁コイル152、第一回転子151及び第一受け物153が含まれ、前記の第一回転子151が制御指令を受けて伸び、即ち前記の錠舌12のクボミの中に嵌められ、自己ロック機能を実現することになる。
【００６０】
図15は、本発明において電子ロック制御システムの実施例一の功能枠図である。前記の電子ロック制御システムには、電源a1が含まれ、電力を供給するのに用いる。錠舌出し入れ制御ユニットa2は、錠舌動作素子cと連結され、前記の錠舌出し入れ制御ユニットa2は出し入れ制御指令を受けるのに用いる。そこで、錠舌動作を駆動する触発信号を、前記の錠舌動作素子cに出力して、前記の錠舌動作素子cの出し入れ動作を制御するのである。メイン制御ユニットa3は、外部の制御指令を受けて、処理された後、前記の出し入れ制御指令を出力する。外部の制御ユニットbは、ユーザの要求によって前記の外部制御指令を出力する。通常簡単に操作できる様にするため、前記の外部制御ユニットbは携帯型で良い。その中、前記の電源a1、錠舌出し入れ制御ユニットa2及びメイン制御ユニットa3は、前記の電子ロック装置aの中、即ち図1の基板14に位置することになる。
【００６１】
図16は、本発明において電子ロック制御システムの実施例二の機能枠図である。実施例一と比べると、予備制御システムを追加しており、実施例一において、制御システムにトラブルが生じて正常的に錠舌の動作を制御できない場合に、予備制御システムによりそれの制御機能を実現するのである。前記の予備制御システムには、予備錠舌出し入れ制御ユニットa2’が含まれており、前記の錠舌動作素子cの制御側と連結される。前記の予備錠舌出し入れ制御ユニットa2’は、予備出し入れ制御指令を受けるのに用いる。それによって、錠舌動作を駆動する触発信号を前記の錠舌動作素子cに出力して、前記の錠舌動作素子cの出し入れ動作を制御するのである。予備メイン制御ユニットa3’は、予備外部制御指令を受信して、処理された後、前記の予備出し入れ制御指令を出力する。予備外部制御ユニットb’は、前記の予備外部制御指令を出力する。説明することは、前記の予備錠舌出し入れ制御ユニットa2’及び予備メイン制御ユニットa3’は、前記の電子ロック装置aの中に設置され、前記の予備外部制御ユニットb’は前記の外部制御ユニットbと一体にしても良いし、独立しても良く、データラインの物理的結合によりそれに応じるデータと互換できるのである。
【００６２】
図17は、本発明において電子ロック制御システムの予備錠舌出し入れ制御ユニットと錠舌出し入れ制御ユニットが結合された回路示し図である。前記の錠舌出し入れ制御ユニットと前記の予備錠舌出し入れ制御ユニットは、それぞれ錠舌動作素子の制御側に対称的に位置される。その中、前記の錠舌動作素子は電磁鉄或いはモータである。本回路示し図は、電磁鉄を例として説明している。その中、Px.1とPx.2は、メイン制御ユニットから来る出し入れ制御指令の出力側であり、Kzin1とKzin2は予備メイン制御ユニットから来る予備出し入れ制御指令の出力側である。ここでは、両方の構造が対称構造なっているため、前記の錠舌出し入れ制御ユニットを例としてその構造と作動原理について説明する。その中には第一信号発生回路と第二制御信号発生回路が含まれる。
【００６３】
前記第一制御信号発生回路において、第三トリオドQ3、第六トリオドQ6のエミッターはそれぞれ前記の錠舌動作素子Lの制御側と連結され、第二トリオドQ2のエミッターとコレクターはそれぞれ前記の第三トリオドQ3と第六トリオドQ6のベースと連結される。
【００６４】
前記第二制御信号発生回路において、第一トリオドQ1、第五トリオドQ5のエミッターはそれぞれ前記の錠舌動作素子Lの制御側と連結され、第四トリオドQ4のエミッターとコレクターはそれぞれ前記の第一トリオドQ1と第五トリオドQ5のベースと連結される。
【００６５】
前記第一トリオドQ1と第二トリオドQ2のベースは、前記の出し入れ制御指令或いは予備出し入れ制御指令を受信するのに用いる。
【００６６】
その動作過程において、PX.1がローレベルでPX.2がハイレベルである際、第二トリオドQ2、第三トリオドQ3、第六トリオドQ6が導通されるが、第四トリオドQ4、第一トリオドQ1、第五トリオドQ5は止められる。即ち、電磁コイル或いはモータに対して言うと、それを流れる電流は第一方向性があり、前期の錠舌の第一運動方向を形成する。前記のPX.1がハイレベルでPX.2がハイレベルである際、第二トリオドQ2、第三トリオドQ3、第六トリオドQ6、第四トリオドQ4、第一トリオドQ1、第五トリオドQ5はいずれも止められる。この場合、電磁コイル或いはモータに対して言うと、電流は流れない。そこで、前記の錠舌は動作を止めることになる。PX.1がハイレベルで、PX.2がローレベルである際、第二トリオドQ2、第三トリオドQ3、第六トリオドQ6は止められるが、第四トリオドQ4、第一トリオドQ1、第五トリオドQ5は導通される。電磁コイル或いはモータに対して言うと、それを流れる電流は第一方向と反対で、前記の錠舌が反対方向に作動することになる。前記のPX.1、PX.2がレベルである際、電磁コイル或いはモータとして言うと、電流は流れなく、前記錠舌が動作を止めることになる。
【００６７】
図3は、本発明の電子ロック制御システムにおけるメイン制御ユニットの回路示し図（上記説明あり）である。その中には、動作指令受信回路が含まれ、前記の外部制御指令を受信するのに用いる。この様な指令は外部の制御ユニットより無線の方式で提供されるのであって、この様な方法により、単なる機械接触式の制御による安全の恐れを解決してくれるのである。ここには三種類の実施方式がある。即ち、赤外線受信器1IC1を採用しても良いし、解読回路1IC3を結合する方式を採用しても良いし、無線電受信器1IC2方式を採用しても良い。その中には、更に抵抗1R8と1R1が含まれ、発振するのに用いる。単なる無線電受信器1IC2を採用する場合、出力信号は解読後のデジタル信号である。安全係数を高める為、赤外線受信器1IC1と無線電受信器1IC2を同時に採用して、同時に外部制御指令を受信することもできる。取得した外部制御指令を、対応する動作指令処理回路に伝送するのである。前記の赤外線受信器1IC1、無線電受信器1IC2と前記の動作指令処理回路の間には、上引き抵抗1R4-1R13が設置されている。
【００６８】
動作指令処理回路は、前記の動作指令受信回路と連結され、前記の外部制御指令に対して暗号解読を検証するのに用いる。パスされた後、前記の出し入れ制御指令を出力する。それは、微処理器チップMCUで良く、前記の制御指令を処理するのに用いる。また微処理器チップMCUのpx.1とpx.2ポートより、前記の出し入れ制御指令を出力することが出来る。即ち、錠舌押出し指令信号或いは錠舌引っ込み指令信号或いは静止指令信号を、前記の錠舌出し入れ制御ユニットに出力するのである。更に、クロックチップ1IC5と前記の微処理器チップMCUが連結される。前記のクロックチップ1IC5は、微処理器チップMCUの諸処理動作のため、外部クロック信号を提供する。前記のクロック信号は、更に暗号化要素となる。前記の赤外線受信器1IC1と無線電受信器1IC2が取得した二種類の解読後のデジタル信号は、前記の微処理器チップMCUにより受信された後、導入されたクロック信号とランダムにて演算され、合法的な命令であるかどうかを検証する。同時に本発明では、ウォッチドッグチップ1IC6を設置している。
【００６９】
データを記憶させる為、メモリチップ1IC4と前記の微処理器チップMCUを連結している。前記のデータは、前記の錠舌出し入れ制御ユニットが動作する時間と回数で良い。
【００７０】
データ出力回路は、前記の動作指令処理回路と連結され、前記の動作指令処理回路で処理された情報を前記の外部制御ユニットへ伝送するのに用いる。それは、前記の微処理器チップMCUと連結され、将前記の微処理器チップMCUで処理された各情報を外部受信設備に伝送するのに用いる。ここで採用している回路の構造は、前記の微処理器チップMCUの出力側とトリオド1Q1ベースを連結し、前記トリオド1Q1のコレクターと発光タイオードLEDを連結して、データを赤外線信号方式で発送するのである。当然ながら、その他の方式を選択しても良いが、ここではくどく説明しない。
【００７１】
電子装置として必ず電気利用問題に関わるのである。異なる使用環境によって、電力ソースはバッテリー或いはバッテリー等の独立素子でも良いし、都市電気でも良い。
【００７２】
図13は、本発明において電子ロック制御システムは外部制御ユニットの回路示し図（上記に記載あり）である。前記の外部制御ユニットには、制御指令発送回路、第一入力インターフェース回路、第一処理回路、データ伝送回路が含まれる。
【００７３】
制御指令発送回路は、前記の動作指令受信回路へ前記の外部制御指令を発送するためで、前記の動作指令受信回路と対応しているので、三種類の実施方式に対応することになる。ここでは、赤外線反射器2D1及びそれに対応するエンコーダーチップ2IC2を結合する方式を採用している。更に同時に無線発射器2IC3及びそれに対応する素子、アンテナからなる無線発射回路を追加しても良い。当然ながら、当該回路は単独に使用しても良いのである。
【００７４】
第一出力インターフェース回路は、人工操作によって対応する暗号数値を生ずるのである。それは幾つかのスイッチキー（図21を参照すること）により構成される。
【００７５】
第一処理回路は、微処理器MCUであって、前記の第一入力インターフェース回路と連結されており（PX.1~PX.5）、前記の赤外線発射器2IC2と無線発射器2IC3と微処理器MCUの間には、上引き抵抗2R6-2R13が設置されている。更に、クロックチップ2IC5と連結され、前記のクロックチップ2IC5は、微処理器チップMCUの諸処理動作のため、外部クロックを提供するのに用いる。前記のクロック信号は、更に暗号化要素として、即ち、導入されたクロック信号をランダム数として演算され、前記の微処理器チップMCUによって処理されるので、発送される制御命令信号の安全性は更に高くなる。同時にウォッチドッグチップ2IC6が設置されている。
【００７６】
データ伝送回路は、前記の微処理器チップMCUと連結されており、USBインターフェース回路でも良い。前記のデータをそれに対応する受信設備に伝送するのに用いる。
【００７７】
同時に、赤外線受信器2IC7は、前記の電子ロック装置のデータ伝送インターフェースから発送された前記データが含まれる信号を受信するのに用いる。
データを記憶させる為、更にメモリチップと前記の微処理器チップMCUが連結されており、前記の電子ロック装置が動作する時間と回数を記憶することができる。
【００７８】
図18は、本発明における電子ロック制御システムの呼びメイン制御ユニットの回路示し図である。前記の予備メイン制御ユニットには入力解読回路、暗号解読回路が含まれる。
【００７９】
前記入力解読回路は、前記の予備外部制御指令を受信して暗号を解読し、検証する。検証でパスされた後は、第三出力信号を出力する。
【００８０】
前記の出力解読回路には、第一暗号解読チップ1IC02と第二暗号解読チップ1IC03が含まれる。
【００８１】
前記第一暗号解読チップ1IC02は、前記の予備外部制御ユニットのアドレスコード及び予備出し入れ制御指令を受信するものである。前記の予備外部制御ユニットのアドレスコードと自分のアドレスコードを比べ、一致すると、前記の第一暗号解読チップ1IC02に第一解読信号を出力するのである。
【００８２】
前記第二解読チップ1IC03は、前記の予備外部制御ユニットのアドレスコードと自分のアドレスコードを比べ、一致すると、前記の予備外部制御指令を受信し、前記の第三出力信号を出力するのである。
【００８３】
第七トリオド1Q02は、前記の電源と前記の第二解読チップ1IC03の間に設置され、前記の第一解読信号を受信し、前記の電源を前記の第二解読チップ1IC03に電気を供給するのに用いる。
【００８４】
解読出力回路には、解読チップ1IC01が含まれ、前記の第三出力信号を受信するのに用いる。解読後前記のKzout1とKzout2から前記の予備出し入れ制御指令を出力するのである。
【００８５】
説明したいのは、前記の第一解読チップ1IC02と第二解読チップ1IC03のA0-A9アドレスコードが、ただ予備外部制御ユニットのアドレスと一致し、DATAIN1が出力するデータが第一解読チップ1IC02によって解読されたデータ側D3がハイレベルである際、第八トリオド1Q11、第七トリオド1Q12は第二個解読チップ1IC03に導通され電気を供給するのである。同時に、DATAIN2もデータ信号を入力し第二解読チップ1IC3によって解読され、解読チップ1IC1によって解読される。電圧を出力して、第九トリオド1Q03、第十トリオド1Q04の導通或いは止めを制御することによって、予備出し入れ制御値の内容を制御するのである。
【００８６】
図19は、本発明において電子ロック制御システムの予備メイン制御ユニットの回路示し図である。前記の予備外部制御ユニットには、第二出力インターフェース回路が含まれ、人工操作によって対応する暗号数値を生ずる。それは幾つかのスイッチキーK1~K4によって構成される。第二処理回路は、微処理器MCUであって、取得された暗号数値はプリセットプラグラムによって対応する第二出力信号に変換するのである。エンコーダー出力回路には、第三エンコーダーチップ2IC01と第四エンコーダーチップ2IC02が含まれ、前記の第二出力信号を受信してエンコーディングするのである。それに前記の予備外部制御指令及びアドレスコード信号を出力する。前記の第三エンコーダーチップ2IC01と第四エンコーダーチップ2IC02の間には、上引き抵抗2R06-2R013が設置される。更に、ウォッチドッグチップ2IC06が含まれ、同時にデータを記憶するため、メモリチップ2IC04と前記の微処理器チップMCUを連結している。前記のデータは、前記予備制御システムの制御時間と回数でも良い。使用される時、前記の予備外部制御ユニットが出力するデータ信号DATAout1、DATAout2、アドレスコードA0-A9と1A0-1A9は、それぞれ対応する予備メイン制御器のデータ信号ポートDATAin1、DATAint2、アドレスコードA0-A9、1A0-1A9と連結される。当然ながら、この様な連結は機械的連結で良い。
【００８７】
図20は、本発明における電子ロック制御システムの保護回路の示し図である。前記の予備外部制御ユニットと前記の予備メイン制御ユニットの間が物理的に結合されているため、電子ロック装置には必ずこの様な実体物理的インターフェースが存在するのである。第三者による電源の反対接続或いは大きい電圧により、電子ロック装置内部の制御システムが破壊するのを防止するため、前記の電子ロック装置の予備制御システムには保護回路を追加している。それを前記の予備錠舌出し入れ制御ユニットの受信側に設置して、外部からの電源の反対接続或いは高圧による破壊を防止するのである。前記の保護回路には、電源導入回路及びデータ導入回路が含まれ、その中、前記の電源導入回路には整流ダイオード3D1が含まれ、直流電源の反対接続と交流電気が導入されるのを防止している。安定ダイオード3DW、トリオド3Q、シリコン制御SCR及びリレーJを順番に連結して、直流電圧が大きくなるのを防止する。前記のデータ導入回路には、データ回路の高耐圧小容量コンデンサー3C2、3C3が含まれる。
【００８８】
その作動過程において、前記の保護回路がダイオード3D1がプラス方向に導通する特性を利用して、人為的に電源を反対に接続してロック体の内部回路を壊すのを防止すると同時に、人為的に交流電圧を入力するのを防止して、整流の役割をするのである。人為的に交流電圧を入力される場合、交流電圧はダイオード3D1によって整流化され、直流電圧が高い時、安定ダイオード3DWが導通され、トリオド3Qも同時に導通され、トリオド3Qのコレクターがローレベルで、シリコン制御SCRは導通されなく、リレーJは吸着しないので、入力された電圧によるロック体内部に入って回路が損害されない。データポートDATAin1、DATAin2のデータ入力インターフェースは、高耐圧小容量コンデンサー3C2、3C3を使用することによって、人為的に交流と直流電圧を入力することによるロック体内部の回路損害を防止するのである。
【００８９】
以上の説明は、本発明での効果の良い実施例であって、本発明に対して説明するだけで、制限を受けない。本専門技術に関わる技術者が理解の上、本発明の趣旨と権限内での如何なる変更、訂正及び等価効果は、いずれも本発明の保護範囲内とする。
【符号の説明】
【００９０】
３・・・コネクター      ４・・・回路制御基板      ５・・・カバー
６・・・ネジ      １１・・・上ケース      １２・・・錠舌    
１３・・・動作ユニット      １５・・・ロック機構    
１６・・・下ケース      １７・・・U形溝      ２１・・・箱キャップ    
２２・・・箱本体        ３１、１１１・・・穴    
３２・・・リセットバネ      ５１・・・カバー穴
１３１・・・電磁コイル      １３２・・・回転子    
１３３・・・受け物      １３４・・・多段減速ユニット    
１３５・・・モータ      １３７・・・連結軸    
１５１・・・第一回転子      １５２・・・第一電磁コイル
１６１・・・延長部      １６２・・・止め穴      
２１１・・・差込み穴
【図１】
0005586623.tif 000002
【図２】
0005586623.tif 000003
【図３】
0005586623.tif 000004
【図４】
0005586623.tif 000005
【図５】
0005586623.tif 000006
【図６】
0005586623.tif 000007
【図７】
0005586623.tif 000008
【図８】
0005586623.tif 000009
【図９】
0005586623.tif 000010
【図１０】
0005586623.tif 000011
【図１１】
0005586623.tif 000012
【図１２】
0005586623.tif 000013
【図１３】
0005586623.tif 000014
【図１４】
0005586623.tif 000015
【図１５】
0005586623.tif 000016
【図１６】
0005586623.tif 000017
【図１７】
0005586623.tif 000018
【図１８】
0005586623.tif 000019
【図１９】
0005586623.tif 000020
【図２０】
0005586623.tif 000021
【図２１】
0005586623.tif 000022